(57)【要約】【課題】下方より見上げられても軒樋と鼻隠しとの間に形成される隙間が見えず、見栄えが悪くなるのが抑えられる隙間隠し構造を提供する。【解決手段】軒樋１と鼻隠し２との間に形成される隙間を隠す隙間隠し構造である。板状をした隠し下片３１と、隠し下片３１より上方に伸びる縦片３２と、縦片３２に設けられ軒樋１の上端部に固定される軒樋固定部３３とで隙間隠しカバー３が構成される。軒外方向（前方Ｆ）に開放される挿通通路４０を有するカバー受け部４が鼻隠し２の下面に固定される。隠し下片３１が軒外方向より挿通通路４０に挿入され、且つ、軒樋固定部３３が軒樋１の上端部に固定されて、隙間隠しカバー３が設けられる。【選択図】図１
2013237976.tif 000002
【特許請求の範囲】
【請求項１】
軒樋と鼻隠しとの間に形成される隙間を隠す隙間隠し構造であって、板状をした隠し下片と、前記隠し下片より上方に伸びる縦片と、前記縦片に設けられ前記軒樋の上端部に固定される軒樋固定部とで隙間隠しカバーが構成され、軒外方向に開放される挿通通路を有するカバー受け部が前記鼻隠しの下面に固定され、前記隠し下片が軒外方向より前記挿通通路に挿入され、且つ、前記軒樋固定部が前記軒樋の上端部に固定されて、前記隙間隠しカバーが設けられることを特徴とする隙間隠し構造。
【請求項２】
前記隠し下片の軒外方向の端部に、軒外方向へ行く程下方に位置するように傾斜する傾斜部が設けられ、前記傾斜部の最下部近傍に水抜き孔が形成されることを特徴とする請求項１記載の隙間隠し構造。
【発明の詳細な説明】
【技術分野】
【０００１】
本発明は、鼻隠しと軒樋との間の隙間を隠す隙間隠し構造に関するものである。
【背景技術】
【０００２】
軒樋は、軒樋吊り具を介して鼻隠しに固定されるが、この時、鼻隠しと軒樋との間に形成されてしまう隙間を隙間隠しカバーで隠している。軒樋吊り具は、施工現場の屋根に応じて軒樋の出寸法（鼻隠しから軒樋までの距離）が調整可能なものが知られている（例えば特許文献１参照）。
【先行技術文献】
【特許文献】
【０００３】
【特許文献１】特開平４−８６８３０号公報
【発明の概要】
【発明が解決しようとする課題】
【０００４】
しかしながら、特許文献１記載の隙間隠し構造にあっては、軒樋の出寸法が長くなると、軒樋に固定される隙間隠しカバーと鼻隠しとの間に隙間が形成されてしまい、軒樋から軒天井にかけて隙間隠しカバーを介して連続せず、下方より見上げられた際の見栄えが悪くなるものであった。
【０００５】
本発明は上記従来の問題点に鑑みて発明したものであって、その目的とするところは、下方より見上げられても軒樋と鼻隠しとの間に形成される隙間が見えず、見栄えが悪くなるのが抑えられる隙間隠し構造を提供することを課題とするものである。
【課題を解決するための手段】
【０００６】
上記課題を解決するために、本発明は、以下のような構成とする。
【０００７】
軒樋と鼻隠しとの間に形成される隙間を隠す隙間隠し構造であって、板状をした隠し下片と、前記隠し下片より上方に伸びる縦片と、前記縦片に設けられ前記軒樋の上端部に固定される軒樋固定部とで隙間隠しカバーが構成され、軒外方向に開放される挿通通路を有するカバー受け部が前記鼻隠しの下面に固定され、前記隠し下片が軒外方向より前記挿通通路に挿入され、且つ、前記軒樋固定部が前記軒樋の上端部に固定されて、前記隙間隠しカバーが設けられることを特徴とする。
【０００８】
また、前記隠し下片の軒外方向の端部に、軒外方向へ行く程下方に位置するように傾斜する傾斜部が設けられ、前記傾斜部の最下部近傍に水抜き孔が形成されることが好ましい。
【発明の効果】
【０００９】
本発明にあっては、下方より見上げられても軒樋と鼻隠しとの間に形成される隙間が見えず、見栄えが悪くなるのが抑えられる。
【図面の簡単な説明】
【００１０】
【図１】本発明の一実施形態の断面図である。
【図２】同上の実施形態における隙間隠しカバーの斜視図である。
【図３】同上の実施形態におけるカバー受け部の斜視図である。
【発明を実施するための形態】
【００１１】
以下、本発明を添付図面に示す一実施形態に基いて説明する。
【００１２】
軒樋１は、図１に示すように、軒樋吊り具５を介して鼻隠し２に固定される。軒樋１は、軒外方向（前方Ｆとする）に位置する前板１１と、前板１１の下端から棟方向（後方Ｂとする）に伸びる底板１２と、底板１２の後端から上方に伸びる後板１３と、を備えている。前板１１の上端部と後板１３の上端部とにはそれぞれ、軒樋吊り具５に取り付けられる前耳部１４と後耳部１５が設けられる。
【００１３】
軒樋吊り具５は、鼻隠し２に固定される固定部５１と、軒樋１を支持する樋支持部５２と、を備えている。固定部５１は、鼻隠し２の表面に取り付けられる平板状をしたもので、固着具挿通孔（不図示）が貫通するように形成されている。そして、ビスや釘等の固着具５３が固着具挿通孔を介して鼻隠し２に固着されることで、固定部５１が鼻隠し２に固定される。樋支持部５２は、固定部５１に固定され、軒樋１を支持するもので、軒樋１の前耳部１４と後耳部１５とに対応する位置にそれぞれ、前耳取付部５４と後耳取付部５５とが設けられる。本実施形態では、樋支持部５２は、固定部５１に固定される固定側腕部５６と、固定側腕部５６に対して位置調節が可能な可動側腕部５７と、を備えている。固定側腕部５６と可動側腕部５７には、固着具挿通孔（不図示）が貫通するように形成されていて、その少なくとも一方が、前後方向に長い長孔となっている。長孔の任意の位置にビスやボルトまたはボルト・ナット等の固着具５８が挿通されていて、これらにより、可動側腕部５７の固定側腕部５６に対する前後方Ｂ向の位置を調節可能とする伸縮手段が構成される。可動側腕部５７に前耳取付部５４と後耳取付部５５とが設けられている。
【００１４】
前耳部１４が前耳取付部５４に取り付けられ、後耳部１５が後耳取付部５５に取り付けられて、軒樋１が軒樋吊り具５に取り付けられる。
【００１５】
この時、屋根６の軒側の先端の鼻隠し２からの距離に応じて、可動側腕部５７の固定側腕部５６に対する前後方向の位置が調整される。これにより、軒樋１が屋根６の軒側の先端の下方に位置するように、軒樋１の出寸法Ｌ（鼻隠し２の前面から軒樋１の後面までの距離）が適宜調整される。この状態で軒樋１と鼻隠し２との間に形成される隙間を隠す隙間隠しカバー３が設けられる。
【００１６】
隙間隠しカバー３は、図２に示すように、隠し下片３１と、隠し下片３１より上方に伸びる縦片３２と、軒樋１に固定される軒樋固定部３３を備えている。隠し下片３１および縦片３２の左右方向（軒先に沿う方向）の長さは、軒樋１と略同じ長さとなるように形成される。隠し下片３１は、下方より軒樋１を見上げた時に隙間が見えないように隠す平板状をしたもので、鼻隠し２の下面から軒樋１に亘って配置される。隠し下片３１の前端部は、前方Ｆへ行く程下方に位置するように傾斜する傾斜部３４となっている。傾斜部３４の前端の最下部近傍には、左右方向に部分的に複数の水抜き孔３５が形成されている。縦片３２は、隠し下片３１の前端から上方に連設されているが、前端から連設されなくてもよい。縦片３２の上端部には、後耳部１５に装着されることで軒樋１に固定される軒樋固定部３３が設けられる。本実施形態では、軒樋固定部３３は、内面が軒樋１の後耳部１５の外面に概ね沿う形状に形成され、後耳部１５に被嵌されて装着される。
【００１７】
隙間隠しカバー３は、鼻隠し２に設けられるカバー受け部４に受けられる。カバー受け部４は、図３に示すように、前方Ｆに開口する上横片４１と縦片４２と下横片４３とからなり、その内部に前方Ｆに開放される挿通通路４０を有するものである。図１に示すように、カバー受け部４の前端が、鼻隠し２の前端と一致するように、上横片４１が鼻隠し２の下面に固定されるのが好ましいが、前後位置は特に限定されない。なお、図中のカバー受け部４の左右方向の長さは、隙間隠しカバー３と略同じ長さとなるように形成される。
【００１８】
隙間隠しカバー３の取り付けについて説明する。上記のように、カバー受け部４が、その前端が鼻隠し２の前端と一致するように、鼻隠し２の下面に固定される。そして、隠し下片３１が前方Ｆより挿通通路４０に挿入され、且つ、軒樋固定部３３が軒樋１の後耳部１５に装着されて、隙間隠しカバー３が取り付けられる。
【００１９】
この状態で、図１に示すように、隠し下片３１が前方Ｆ側において底板１２に略連続し、後方Ｂ側においてカバー受け部４（および軒天井７）に略連続する。隠し下片３１により、軒樋１と鼻隠し２との間に形成される隙間が下方に対して隠され、下方より見上げられてもこの隙間が見えず、見栄えが悪くなるのが抑えられる。
【００２０】
特に、軒樋１の出寸法Ｌが調整される軒樋吊り具５が用いられると、軒樋１と鼻隠し２との間に形成される隙間の前後の長さも変化する。しかしながら、この場合でも、上記隙間隠しカバー３およびカバー受け部４が用いられることで、前記隙間に合わせて隙間隠しカバー３の出代が調整自在となる。これにより、多数種類の隙間隠しカバー３が用意されなくても、前記隙間が隠され、且つ、軒樋１と軒天井７に略連続するように容易に設けられる。
【符号の説明】
【００２１】
１    軒樋
１１  前板
１２  底板
１３  後板
１４  前耳部
１５  後耳部
２    鼻隠し
３    隙間隠しカバー
３１  隠し下片
３２  縦片
３３  軒樋固定部
３４  傾斜部
３５  水抜き孔
４    カバー受け部
４０  挿通通路
４１  上横片
４２  縦片
４３  下横片
５    軒樋吊り具
５１  固定部
５２  樋支持部
５３  固着具
５４  前耳取付部
５５  後耳取付部
５６  固定側腕部
５７  可動側腕部
５８  固着具
６    屋根
７    軒天井
Ｂ    後方
Ｆ    前方
Ｌ    出寸法
【図１】
2013237976.tif 000003
【図２】
2013237976.tif 000004
【図３】
2013237976.tif 000005